(57)【要約】【課題】釘刺しや圧壊時における内部の過熱を抑制できる蓄電装置を提供する。【解決手段】外側から順に、正極側導電板（第一導電板）２２’、絶縁体３１（第一絶縁体Ｉｎ１）、負極側導電板（第二導電板）１２’、負極（第二極）活物質層１４、負極（第二極）金属箔１２、負極（第二極）活物質層１４、セパレータ３０（第二絶縁体Ｉｎ２）、正極（第一極）活物質層２４、正極（第一極）金属箔２２、正極（第一極）活物質層２４、セパレータ３０（第三絶縁体Ｉｎ３）、負極（第二極）活物質層１４、及び負極（第二極）金属箔、を備える。正極側導電板２２’と正極金属箔２２とが電気的に接続され、負極側導電板１２’と各負極金属箔１２とが電気的に接続される。セパレータ３０（第二絶縁体Ｉｎ２）の破断強度は、絶縁体３１（第一絶縁体Ｉｎ１）及びセパレータ３０（第三絶縁体Ｉｎ３）の破断強度よりも大きい。【選択図】図１
2014107208.tif 000002
【特許請求の範囲】
【請求項１】
積層方向の外側から順に、第一導電板、第一絶縁体、第二導電板、第二極活物質層、第二極金属箔、第二極活物質層、第二絶縁体、第一極活物質層、第一極金属箔、第一極活物質層、第三絶縁体、第二極活物質層、及び、第二極金属箔、を備え、
前記第一導電板と前記第一極金属箔とが電気的に接続され、
前記第二導電板と各前記第二極金属箔とが電気的に接続され、
前記第二絶縁体の破断強度は、前記第一絶縁体及び前記第三絶縁体の破断強度よりも大きい、蓄電装置。
【請求項２】
積層方向の外側から順に、第一導電板、第一絶縁体、第二導電板、第二絶縁体、第一極活物質層、第一極金属箔、第一極活物質層、第三絶縁体、第二極活物質層、及び、第二極金属箔を備え、
前記第一導電板と前記第一極金属箔とが電気的に接続され、
前記第二導電板と前記第二極金属箔とが電気的に接続され、
前記第二絶縁体の破断強度は、前記第一絶縁体及び前記第三絶縁体の破断強度よりも大きい、蓄電装置。
【請求項３】
積層方向の外側から順に、第一導電板、第一絶縁体、第二導電板、第二極活物質層、第二絶縁体、第一極活物質層、第一極金属箔、第一極活物質層、第三絶縁体、第二極活物質層、及び、第二極金属箔を備え、
前記第一導電板と前記第一極金属箔とが電気的に接続され、
前記第二導電板と前記第二極金属箔とが電気的に接続され、
前記第二絶縁体の破断強度は、前記第一絶縁体及び前記第三絶縁体の破断強度よりも大きい、蓄電装置。
【請求項４】
前記第二絶縁体の厚みは、前記第一絶縁体及び前記第三絶縁体の厚みよりも大きい請求項１〜３のいずれか一項に記載の蓄電装置。
【請求項５】
リチウムイオン二次電池である、請求項１〜４のいずれか一項に記載の蓄電装置。
【発明の詳細な説明】
【技術分野】
【０００１】
本発明は、蓄電装置に関する。
【背景技術】
【０００２】
従来より、金属箔、絶縁体、及び、金属箔を有する短絡ユニットを外側に配した電池が知られている。このような電池では、釘刺しや圧壊時に短絡ユニットを短絡させることにより、短絡ユニットよりも内側にある、正極及び負極間の充電容量を低下させることができ、その後の正極及び負極の短絡による電池の内部の過熱を抑制することができる。
【先行技術文献】
【特許文献】
【０００３】
【特許文献１】特開２００１−６８１５６号公報
【発明の概要】
【発明が解決しようとする課題】
【０００４】
しかしながら、釘刺しや圧壊時における蓄電装置の内部の過熱をより一層抑制することが好ましい。本発明は、上記課題に鑑みてなされたものであり、釘刺しや圧壊時における内部の過熱を抑制できる蓄電装置を提供することを目的とする。
【課題を解決するための手段】
【０００５】
本発明に掛かる第一の蓄電装置は、積層方向の外側から順に、第一導電板、第一絶縁体、第二導電板、第二極活物質層、第二極金属箔、第二極活物質層、第二絶縁体、第一極活物質層、第一極金属箔、第一極活物質層、第三絶縁体、第二極活物質層、及び第二極金属箔、を備える。前記第一導電板と前記第一極金属箔とが電気的に接続され、前記第二導電板と各前記第二極金属箔とが電気的に接続されている。前記第二絶縁体の破断強度は、前記第一絶縁体及び前記第三絶縁体の破断強度よりも大きい。
【０００６】
本発明に掛かる第二の蓄電装置は、積層方向の外側から順に、第一導電板、第一絶縁体、第二導電板、第二絶縁体、第一極活物質層、第一極金属箔、第一極活物質層、第三絶縁体、第二極活物質層、及び、第二極金属箔を備える。前記第一導電板と前記第一極金属箔とが電気的に接続され、前記第二導電板と前記第二極金属箔とが電気的に接続されている。前記第二絶縁体の破断強度は、前記第一絶縁体及び前記第三絶縁体の破断強度よりも大きい。
【０００７】
本発明に掛かる第三の蓄電装置は、積層方向の外側から順に、第一導電板、第一絶縁体、第二導電板、第二極活物質層、第二絶縁体、第一極活物質層、第一極金属箔、第一極活物質層、第三絶縁体、第二極活物質層、及び、第二極金属箔を備える。前記第一導電板と前記第一極金属箔とが電気的に接続され、前記第二導電板と前記第二極金属箔とが電気的に接続されている。前記第二絶縁体の破断強度は、前記第一絶縁体及び前記第三絶縁体の破断強度よりも大きい。
【０００８】
これらの発明によれば、第二絶縁体の破断強度が、第一絶縁体及び第三絶縁体の破断強度よりも大きいので、突き刺しや圧壊時に、第一絶縁体が破断してから、第二絶縁体が破断するまでの時間を確保し易い。これにより、第一絶縁体が破断してから、第二絶縁体が破断するまでの間に、蓄電装置が有する電気化学的エネルギーを第一絶縁体の上下の導電板同士の短絡によって十分に放出させることができる。したがって、その後に、第二絶縁体が破断して、その下の活物質層が短絡することにより発生する熱量を低減できる。また、第二絶縁体の破断強度よりも、第三絶縁体の破断強度が小さいので、第二絶縁体に比べて、第三絶縁体の厚みの低減や気孔率の増加が可能であり、充放電特性などの電池の性能を向上させやすい。
【０００９】
ここで、前記第二絶縁体の厚みは、前記第一絶縁体及び前記第三絶縁体の厚みよりも大きいことが好ましい。
【００１０】
また、上記の蓄電装置は、リチウムイオン二次電池であることが好ましい。
【発明の効果】
【００１１】
本発明によれば、釘刺しや圧壊時における内部の過熱を抑制できる蓄電装置が提供される。
【図面の簡単な説明】
【００１２】
【図１】図１は、第一実施形態にかかるリチウムイオン二次電池の概略断面図である。
【図２】図２は、第二実施形態にかかるリチウムイオン二次電池の概略断面図である。
【図３】図３は、第三実施形態にかかるリチウムイオン二次電池の概略断面図である。
【発明を実施するための形態】
【００１３】
本発明に掛かる実施形態を、図面を参照して説明する。
（第一実施形態）
図１に示すように、第一実施形態に掛かるリチウムイオン二次電池１００は、電極組立体５０、短絡ユニット４０、４０、ケース１１、及び、電極組立体５０に接続されたリード７、８を主として備えている。
【００１４】
（電極組立体５０）
電極組立体５０は、負極１０、正極２０、セパレータ３０をそれぞれ複数有し、負極１０及び正極２０がセパレータ３０を介して交互に積層されている。
【００１５】
（負極１０）
負極１０は、負極金属箔１２と、この負極金属箔１２の両面に形成された負極活物質層１４とを有している。負極金属箔１２には、負極活物質層１４が形成されていないタブ部１２ａを有する。
【００１６】
負極金属箔１２は導電材料からなる。負極金属箔１２の材料の例は、ステンレス鋼、チタン、ニッケル、アルミニウム、銅などの金属材料または導電性樹脂である。特に、負極金属箔１２の材料として、銅が好適である。負極金属箔１２の厚みは特に限定されないが、例えば、５〜２５μｍとすることができる。また、負極活物質層１４の厚みも特に限定されないが、例えば、４０〜１００μｍとすることができる。
【００１７】
負極活物質層１４は、負極活物質、バインダーを含み、必要に応じて導電助剤を含むことができる。
【００１８】
負極活物質の例は、リチウムを吸蔵、放出可能な炭素系材料、リチウムと合金化可能な元素、リチウムと合金化可能な元素を有する元素化合物、あるいは高分子材料である。
【００１９】
炭素系材料の例は、難黒鉛化性炭素、人造黒鉛、コークス類、グラファイト類、ガラス状炭素類、有機高分子化合物焼成体、炭素繊維、活性炭あるいはカーボンブラック類である。ここで、有機高分子化合物焼成体とは、フェノール類やフラン類などの高分子材料を適当な温度で焼成して炭素化したものをいう。
【００２０】
高分子材料の例は、ポリアセチレン、ポリピロールである。
【００２１】
（正極２０）
正極２０は、正極金属箔２２と、この正極金属箔２２の両面に形成された正極活物質層２４とを有している。正極金属箔２２には、正極活物質層２４が形成されていないタブ部２２ａを有する。
正極金属箔２２は導電材料からなる。正極金属箔２２の材料の例は、アルミニウムなどの金属である。
【００２２】
正極活物質層２４は、正極活物質、バインダーを含み、必要に応じて導電助剤を含むことができる。バインダーや導電助剤の例及び配合量は、負極１０で記載したのと同様とすることができる。
【００２３】
正極活物質は、リチウム二次電池用の正極活物質であれば特に限定されない。正極活物質の例は、リチウム化合物である。例えばリチウムコバルト複合酸化物、リチウムニッケル複合酸化物、リチウムマンガン複合酸化物などのリチウム金属複合酸化物などを用いることが出来る。また正極活物質として他の金属化合物あるいは高分子材料を用いることも出来る。他の金属化合物としては、例えば酸化チタン、酸化バナジウムあるいは二酸化マンガンなどの酸化物、または硫化チタンあるいは硫化モリブデンなどの二硫化物が挙げられる。高分子材料としては例えばポリアニリンあるいはポリチオフェンなどの導電性高分子が挙げられる。
【００２４】
特に正極活物質は、一般式：ＬｉＣｏｐＮｉｑＭｎｒＯ２（ｐ＋ｑ＋ｒ＝１、０＜ｐ≦１、０≦ｑ＜１、０≦ｒ＜１）で表されるリチウム金属複合酸化物を含むことが好ましい。
上記複合金属酸化物として、例えばＬｉＣｏ１／３Ｎｉ１／３Ｍｎ１／３Ｏ２、ＬｉＮｉ０．６Ｃｏ０．２Ｍｎ０．２Ｏ２、ＬｉＮｉ０．５Ｃｏ０．２Ｍｎ０．３Ｏ２、ＬｉＣｏＯ２、ＬｉＮｉ０．８Ｃｏ０．２Ｏ２、ＬｉＣｏＭｎＯ２を用いることができる。中でもＬｉＣｏ１／３Ｎｉ１／３Ｍｎ１／３Ｏ２は、熱安定性の点で好ましい。
【００２５】
また、正極活物質は、一般式：ＬｉＣｏｐＮｉｑＭｎｒＤｓＯ２（ｐ＋ｑ＋ｒ＝１、０＜ｐ≦１、０≦ｑ＜１、０≦ｒ＜１、０＜ｓ＜１）で表されるリチウム金属複合酸化物を含むことも好ましい。Ｄは、Ａｌ，Ｍｇ，Ｔｉ，Ｓｎ，Ｚｎ，Ｗ，Ｚｒ，Ｍｏ，Ｆｅ，Ｎａから成る群から選択される少なくとも１つの元素である。
【００２６】
（セパレータ３０）
セパレータ３０は、正極２０と負極１０とを隔離し、両極の接触による電流の短絡を防止しつつ、リチウムイオンを通過させる。セパレータ３０の例は、ポリテトラフルオロエチレン、ポリプロピレン、ポリエチレンテレフタレート、あるいはポリエチレンなどの合成樹脂製の多孔質膜、またはセラミックス製の多孔質膜である。正極２０の正極活物質層２４及び負極１０の負極活物質層１４がセパレータ３０に接触し、正極活物質層２４及び負極活物質層１４はセパレータ３０を介して対向している。
【００２７】
セパレータ３０は、図１に示すように、正極活物質層２４及び負極活物質層１４の端よりも外側に延びていることが好ましい。また、一対のセパレータ３０が、正極２０又は負極１０を取り囲むように袋を形成していても良い。セパレータ３０の強度及び厚み等については後述する。
【００２８】
（短絡ユニット４０）
短絡ユニット４０は、導電性の正極側導電板２２’、絶縁体３１、及び、導電性の負極側導電板１２’を有し、これらが外側からこの順に積層されている。短絡ユニット４０は、電極組立体５０の上と下とにそれぞれ設けられている。正極側導電板２２’の材料は、正極金属箔２２と同じ材料であることができる。たとえば、正極側導電板２２’は、正極金属箔２２と同じ箔でも良いし、正極金属箔２２よりも厚い箔でも良く、正極金属箔２２が複数枚重ねられたものでも良い。負極側導電板１２’の材料は負極金属箔１２と同じ材料であることができる。たとえば、負極側導電板１２’は、負極金属箔１２と同じ箔でも良いし、負極金属箔１２よりも厚い箔でも良く、負極金属箔１２が複数枚重ねられたものでも良い。正極側導電板２２’及び負極側導電板１２’は絶縁体３１を挟んで互いに対向し、正極側導電板２２’及び負極側導電板１２’は、それぞれ絶縁体３２の表面及び裏面と接触している。絶縁体３２の端部は、正極側導電板２２’及び負極側導電板１２’の端部よりも外に突出している。また正極側導電板２２’及び負極側導電板１２’の端には、それぞれ、絶縁体３２の端部よりも突出する突出部１２’ａ，２２’ａが設けられている。
【００２９】
絶縁体３１の材料は、電気絶縁性を有すれば特に限定されないが、樹脂材料が好ましい。樹脂材料としては、セパレータ３０で挙げたものを使用できる。絶縁体３１は、多孔質でもよいが、多孔質である必要はない。
【００３０】
（ケース１１）
ケース１１は、電極組立体５０、一対の短絡ユニット４０、４０、及び電解液（図示略）を収容する。ケース１１の材料や形態は特に限定されず、樹脂、金属などを公知の種々の物を使用できる。
【００３１】
（電解液）
電解液は、電解質と、この電解質を溶解する溶媒とを含む。電解質は、負極活物質層１４、セパレータ３０、正極活物質層２４内に含浸されている。
【００３２】
電解質の例は、ＬｉＢＦ４、ＬｉＰＦ６、ＬｉＣｌＯ４、ＬｉＡｓＦ６、ＬｉＣＦ３ＳＯ３、ＬｉＮ（ＣＦ３ＳＯ２）２等のリチウム塩である。
【００３３】
溶媒の例は、環状エステル類、鎖状エステル類、エーテル類である。これらの溶媒を２種以上混合することもできる。電解液における電解質の濃度は、例えば、０．５〜１．７ｍｏｌ／Ｌとすることができる。電解液は、ゲル化剤を含んでいても良い。
【００３４】
（リード）
リード７は全ての負極金属箔１２のタブ部１２ｂ及び負極側導電板１２’の突出部１２’ａに接続されており、負極金属箔１２及び負極側導電板１２’の電位が全て同一とされる。リード８は全ての正極金属箔２２のタブ部２２ｂ及び正極側導電板２２’の突出部２２’ａに接続されており、正極金属箔２２及び正極側導電板２２’の電位が全て同一とされる。リード７、８の端部は、ケース１１の外部に出ている。
【００３５】
（外側の積層構成）
このようなリチウムイオン二次電池１００では、積層方向の外側から順に、正極側導電板（第一導電板）２２’、絶縁体３１（第一絶縁体Ｉｎ１）、負極側導電板（第二導電板）１２’、負極活物質層（第二極活物質層）１４、負極金属箔（第二極金属箔）１２、負極活物質層（第二極活物質層）１４、セパレータ３０（第二絶縁体Ｉｎ２）、正極活物質層（第一極活物質層）２４、正極金属箔（第一極金属箔）２２、正極活物質層（第一極活物質層）２４、セパレータ３０（第三絶縁体Ｉｎ３）、負極活物質層（第二極活物質層）１４、及び、負極金属箔（第二極金属箔）１２という構成を備えている。また、正極側導電板２２’と正極金属箔２２とが電気的に接続され、負極側導電板１２’と各負極金属箔１２とが電気的に接続されている。
【００３６】
ここで、絶縁体３１を第一絶縁体Ｉｎ１、セパレータ３０の内の最外のものを第二絶縁体Ｉｎ２、セパレータ３０の内の最外から２番目のものを第三絶縁体Ｉｎ３と呼ぶ。
本実施形態では、第二絶縁体Ｉｎ２の破断強度が、第一絶縁体Ｉｎ１の破断強度及び第三絶縁体Ｉｎ３の破断強度よりも大きい。各層の破断強度は、例えば、ＪＩＳＫ７１２７により測定することができる。
【００３７】
破断強度を上述のように調節するには以下のようにすればよい。例えば、第二絶縁体Ｉｎ２の材質及び／又は構造（例えば、気孔率、厚みなど）を、第一絶縁体Ｉｎ１及び第三絶縁体Ｉｎ３のそれと異ならせればよい。材質が同じであれば、厚みが大きいほど破断強度が大きくなり、気孔率が小さい程破断強度が大きくなる。厚みの異なる絶縁体は、絶縁膜を複数枚重ねることによっても得ることができる。
【００３８】
本実施形態にかかるリチウムイオン二次電池１００によれば、第二絶縁体Ｉｎ２の破断強度が、第一絶縁体Ｉｎ１よりも大きいので、突き刺しや圧壊時に、第一絶縁体Ｉｎ１が破断してから、第二絶縁体Ｉｎ２が破断するまでの時間を確保し易い。これにより、第一絶縁体Ｉｎ１が破断してから、第二絶縁体Ｉｎ２が破断するまでの間に、電極組立体５０が有する電気化学的エネルギーを短絡ユニット４０における短絡によって十分に放出させることができる。したがって、その後に、第二絶縁体Ｉｎ２が破断して、正極活物質層と負極活物質層とが短絡することにより発生する熱量を低減できる。また、第二絶縁体Ｉｎ２の破断強度よりも、第三絶縁体Ｉｎ３の破断強度が小さいので、第二絶縁体Ｉｎ２に比べて、第三絶縁体Ｉｎ３（セパレータ３０）の厚みの低減や気孔率の増加が可能であり、充放電特性などの電池の性能を向上させやすい。
【００３９】
（第二実施形態）
続いて、図２を参照して、第二実施形態にかかるリチウムイオン二次電池１０１について説明する。
本実施形態にかかるリチウムイオン二次電池１０１が、上記リチウムイオン二次電池１００と異なる点は、短絡ユニット４０と最外の負極１０との間に、絶縁体３１（第二絶縁体）が設けられている点、及び、短絡ユニット内の層の順番が異なる点である。
短絡ユニット４０では、積層方向の外側から順に、負極側導電板（第一導電体）１２’、絶縁体３１、及び、正極側導電板（第二導電体）２２’が積層されている。
【００４０】
（外側の積層構成）
このようなリチウムイオン二次電池１０１では、積層方向の外側から順に、負極側導電板（第一導電体）１２’、絶縁体３１（第一絶縁体Ｉｎ１）、正極側導電板（第二導電体）２２’、絶縁体３１（第二絶縁体Ｉｎ２））、負極活物質層（第一極活物質層）１４、負極金属箔（第一極金属箔）１２、負極活物質層（第二極活物質層）１４、セパレータ３０（第三絶縁体Ｉｎ３）、正極活物質層（第二極活物質層）２４、正極金属箔（第二極金属箔）２２、という構成を備えている。また、負極側導電板１２’と負極金属箔１２とが電気的に接続され、正極側導電板２２’と正極金属箔２２とが電気的に接続されている。
【００４１】
ここで、最外の絶縁体３１、最外から二番目の絶縁体３１、及び、最外のセパレータ３０を、順に第一絶縁体Ｉｎ１、第二絶縁体Ｉｎ２、第三絶縁体Ｉｎ３と呼ぶ。
本実施形態では、第二絶縁体Ｉｎ２（活物質層と接する最外の絶縁体）の破断強度が、第一絶縁体Ｉｎ１（最外の絶縁体３１）の破断強度及び第三絶縁体Ｉｎ３（最外のセパレータ３０）の破断強度よりも大きい。
【００４２】
本実施形態でも、第二絶縁体Ｉｎ２の破断強度が第一絶縁体Ｉｎ１よりも大きいので、突き刺しや圧壊時に、第一絶縁体Ｉｎ１が破断してから、第二絶縁体Ｉｎ２が破断するまでの時間を確保しやすい。これにより、第二絶縁体Ｉｎ２が破断した後における、負極活物質層１４と正極金属箔２２との短絡や負極活物質層１４と正極活物質層２４との短絡時に発生する熱量を低減できる。また、第二絶縁体Ｉｎ２の破断強度よりも、第三絶縁体Ｉｎ３（セパレータ３０）の破断強度が小さいので、第二絶縁体Ｉｎ２に比べて、第三絶縁体Ｉｎ３（セパレータ３０）の厚みの低減や気孔率の増加が可能であり、電池の性能を向上させやすい。
【００４３】
（第三実施形態）
続いて、図３を参照して、第三実施形態にかかるリチウムイオン二次電池１０２について説明する。
本実施形態にかかるリチウムイオン二次電池１０２が、上記第二実施形態のリチウムイオン二次電池１０１と異なる点は、第二絶縁体Ｉｎ２として、単なる絶縁体３１ではなくセパレータ３０が設けられている点と、短絡ユニット４０の正極側導電板（第二導電体）２２’と第二絶縁体Ｉｎ２との間に、正極活物質層（第二極活物質層）２４が設けられている点である。正極活物質層２４は、短絡ユニット４０の正極側導電板２２’の表面に形成されており、正極側導電板２２’及び正極活物質層２４は、片面のみに正極活物質層２４を有する正極２０’を形成している。
【００４４】
（外側の積層構成）
このようなリチウムイオン二次電池１０１では、積層方向の外側から順に、負極側導電板（第一導電体）１２’、絶縁体３１（第一絶縁体Ｉｎ１）、正極側導電板（第二導電体）２２’、正極活物質層（第二極活物質層）２４、セパレータ３０（第二絶縁体Ｉｎ２））、負極活物質層（第一極活物質層）１４、負極金属箔（第一極金属箔）１２、負極活物質層（第二極活物質層）１４、セパレータ３０（第三絶縁体Ｉｎ３）、正極活物質層（第二極活物質層）２４、正極金属箔（第二極金属箔）２２、という構成を備えている。また、負極側導電板１２’と負極金属箔１２とが電気的に接続され、正極側導電板２２’と正極金属箔２２とが電気的に接続されている。
【００４５】
ここで、絶縁体３１、最外のセパレータ３０、及び、最外から二番目のセパレータ３０、を、順に第一絶縁体Ｉｎ１、第二絶縁体Ｉｎ２、第三絶縁体Ｉｎ３と呼ぶ。
本実施形態では、第二絶縁体Ｉｎ２（活物質層と接する最外の絶縁体）の破断強度が、第一絶縁体Ｉｎ１（最外の絶縁体３１）の破断強度及び第三絶縁体Ｉｎ３（最外から二番目のセパレータ３０）の破断強度よりも大きい。
【００４６】
本実施形態でも、第二絶縁体Ｉｎ２の破断強度が第一絶縁体Ｉｎ１よりも大きいので、突き刺しや圧壊時に、第一絶縁体Ｉｎ１が破断してから、第二絶縁体Ｉｎ２が破断するまでの時間を確保しやすい。これにより、第二絶縁体Ｉｎ２が破断した後における、負極活物質層１４と正極活物質層２４との短絡時に発生する熱量を低減できる。また、第二絶縁体Ｉｎ２の破断強度よりも、第三絶縁体Ｉｎ３（セパレータ３０）の破断強度が小さいので、第二絶縁体Ｉｎ２に比べて、第三絶縁体Ｉｎ３（セパレータ３０）の厚みの低減や気孔率の増加が可能であり、電池の性能を向上させやすい。
【００４７】
本発明は、上記実施形態に限定されず様々な変形態様が可能である。
例えば、上記３つの実施形態において、正極と負極とが逆に配置されていても良い。すなわち、正極活物質層と負極活物質層とが入れ替わり、かつ、正極金属箔と負極金属箔とが入れ替わり、かつ、正極側導電体と負極側導電体とが入れ替わっても良い。
【００４８】
また、上記各実施形態では、短絡ユニット４０、電極組立体５０、及び短絡ユニット４０からなる積層体の積層方向の両端部において３つの絶縁体の破断強度がそれぞれ上述の関係を満たしているが、積層体の積層方向の一方の端部のみにおいて、３つの絶縁体の破断強度が上述の関係を満たしていても実施は可能である。また、積層体の積層方向の両端部において３つの絶縁体の破断強度がそれぞれ上述の関係を満たす場合に、積層体の積層方向の両端部が同一の積層構造を有さなくても良い。すなわち、積層体の積層方向の一端部が第一〜第三実施形態のいずれかの構造を有し、かつ、積層体の積層方向の他端部が第一〜第三実施形態の内の一端部とは別の構造を有することができる。
また、第一実施形態において、最外の正極２０と短絡ユニット４０との間に他の絶縁体を有してもよい。
【００４９】
また、電極組立体における、正極と負極との積層数も特に上記実施形態に限定されない。さらに、電極組立体はシート状の正極、負極、及びセパレータを積層したものではなく、正極、負極及びセパレータを積層した状態で捲回して構成してもよい。この場合は、「積層方向」とは、捲回した電極組立体の外側の層から、電極組立体の中心に向かう方向を意味する。
【００５０】
また、上述の蓄電装置は、リチウムイオン二次電池であるが、これ以外の蓄電装置、例えば、電気二重層キャパシタ、リチウムイオンキャパシタなどに適用することも可能である。
【符号の説明】
【００５１】
１０…負極、１２…負極金属箔、１４…負極活物質層、２０…正極、２２…正極金属箔、２４…正極活物質層、３０…セパレータ、３１…絶縁体、４０…短絡ユニット、１００…リチウムイオン二次電池（蓄電装置）。
【図１】
2014107208.tif 000003
【図２】
2014107208.tif 000004
【図３】
2014107208.tif 000005